(57)【要約】  装置は、第一及び第二の端部を備えた吸引ダクト（７）と、上記吸引ダクトに少なくとも部分的に挿差された柔軟性のある物品（Ｍ）を支える保持部材（５）と、外部と連通する吸引ダクトの内部に配置され、保持部材と第二の端部との間の中間位置に設けられた吸引開口部（２１）とを有する。【選択図】  図３
2009538997.tif 000002
【特許請求の範囲】
【請求項１】
第一の端部及び第二の端部を備えた吸引ダクトと；
上記吸引ダクトに少なくとも部分的に挿差された柔軟性のある物品を支える保持部材と；
上記保持部材と上記第二の端部との間の中間位置に設けられた、吸引ダクトの内部を外部と連通させる吸引開口部と；
を有し、
吸引源が上記第二の端部に流体連通して設けられていること
を特徴とする靴下或いはストッキングなどの柔軟性のある細長い物品を広げるための装置。
【請求項２】
上記吸引開口部が開閉弁を備えることを特徴とする請求項１記載の装置。
【請求項３】
上記物品が上記吸引ダクトの内部に挿差される時、上記開閉弁が開かれるよう制御されることを特徴とする請求項２記載の装置。
【請求項４】
上記吸引ダクトが、相互に対して傾斜した２つの部分から構成されることを特徴とする請求項１〜３の何れか一項記載の装置。
【請求項５】
２つの傾斜した部分の間に接続区分が配置され、上記保持部材と組み合わされる上記２つの部分の第一の部分に上記吸引開口部が設けられ、吸引源の接続される上記第二の端部が、上記部分の第二の部分に位置決めされていることを特徴とする請求項４記載の装置。
【請求項６】
吸引ダクトの上記第一の端部に、吸引ダクトの断面を変更する要素が組合されることを特徴とする請求項１〜５の何れか一項記載の装置。
【請求項７】
上記要素が、吸引ダクトの内部壁に対応する形状をもつブロック部材を備え、上記ブロック部材が、上記吸引ダクトの断面を縮小するために上記吸引ダクトに横方向に挿差して、狭くて細長い区分の横方向通路を形成でき、また上記保持部材が、吸引ダクトから物品を徐々に引き抜くように制御され且つ構成され、上記狭く細長い区分を通って物品を通過させまた吸引空気流に対向する方向への動きによって物品を引き抜くようにしたことを特徴とする請求項６記載の装置。
【請求項８】
上記物品が、吸引ダクトに少なくとも部分的に挿差され、空気流の発生する上記吸引ダクトに保持され、上記空気流が吸引ダクトの壁に設けた中間吸引開口部を少なくとも部分的に通る吸引によって吸引されることを特徴とする柔軟性の細長い物品を広げるための方法。
【請求項９】
吸引空気流の発生する上記吸引ダクトに上記物品を少なくとも部分的に配置して、上記物品を空気流によって引っ張られないように保持するステップと、
上記中間開口部を開いて外部から吸引ダクトの内部に向かって空気流を発生させ、上記空気流をダクトの内側で自由である物品の一部分に当てさせるステップと、
を含むことを特徴とする請求項８記載の方法。
【請求項１０】
上記物品が、上記空気流と反対の方向への動きによって吸引ダクトから徐々に引き抜かれることを特徴とする請求項８又は９記載の方法。
【請求項１１】
上記物品が、引き抜き動作及びその縦方向の伸長に対して上記物品を横方向に平らにするために、狭くて細長い断面部分を通って通過するようにされることを特徴とする請求項１０記載の方法。
【発明の詳細な説明】
【技術分野】
【０００１】
本発明は、柔軟性のある細長い完成品或いは半完成品、例えば特に排他的ではないがストッキング及び靴下或いはその他の織物製品を取扱うための装置を改善することに関わるものである。
【背景技術】
【０００２】
ストッキング或いは靴下などの編物製品の製造においては、製品のつま先を縫製するなど後続の取扱作業のために編物製品を準備するため、本来は柔軟で且つ折り畳み易い編物製品を平らにする、すなわち広げる必要性が頻繁に生じている。
【０００３】
編物製品を広げることは、一般には、半完成品を平らにして後続の工程において容易に作業できるようにするために、縦方向と横方向の両方向に実行されなければならない。
【発明の概要】
【発明が解決しようとする課題】
【０００４】
本発明の目的は、上記形態の物品を特に縦方向に、しかし可能にはそれらの縦方向の伸びに対して少なくとも部分的に横方向においても広げさせる、すなわち平らにさせる装置を提供することにある。
【課題を解決するための手段】
【０００５】
以下本明細書を読むことにより当業者には明らかである上記及びその他の目的、並びに利点は、
第一の端部及び第二の端部を備えた吸引ダクトと；
上記吸引ダクトに少なくとも部分的に挿差された柔軟性のある物品を支える保持部材と；
上記保持部材と上記第二の端部との間の中間位置に設けられた、吸引ダクトの内部を外部と連通させる吸引開口部と；
を有し、
吸引源が上記第二の端部に流体連通して設けられている
装置によって実質的に得られる。
【０００６】
中間吸引開口部は、二次的な吸引空気流を形成でき、二次的な吸引空気流は、一端或いは一端に近接して適当に支えられた靴下又はその他の製織物品の羽ばたき或いは振動動作を引き起こし、その結果として、しわ、折れ目、縦溝、捻れ、或いは他の類似のものを広げて取り除くことできる。
【０００７】
本発明の有利な実施形態によれば、吸引開口部には開閉弁が設けられ、上記吸引開口部は、適当な時に、例えば処理工程中吸引によって吸引区画内に物品を挿差するステップ時に遮断される。そして吸引開口部は、物品が装置の区画内に吸引によって部分的に或いは完全に引き込まれている時にその開口部を通して吸引を開始するため開かれ得る。
【０００８】
本発明の可能な実施形態においては、吸引ダクトは、互いに傾斜した２つの部分を備えることができるが、直線或いは実質的に直線の形状に構成することも可能である。吸引ダクトが互いに傾斜した２つの部分を備える場合には、上記２つの傾斜した部分の間には接続区分が設けられ得、また吸引開口部は上記保持部材の組み合わさった上記２つの部分のうちの第一の部分に設けられ得、吸引源の接続される上記第二の端部は上記部分のうちの第二の部分に位置決めされ得る。
【０００９】
本発明による装置の可能な実施形態によれば、吸引ダクトの第一の端部には、物品を吸引ダクトから徐々に引き抜くすなわち取り去る際に、吸引ダクトの断面を変更して、物品を容易に平らにする要素が組み合わせされる。上記要素は、例えば吸引ダクトの内部壁に対応する形状もつブロック部材を備えることができ、上記ブロック部材は、上記吸引ダクトの断面を縮小するために上記吸引ダクトに横方向に挿差して、狭くて細長い区分の横方向通路を形成できる。また上記保持部材は、有利には、吸引ダクトから物品を徐々に引き抜くように制御され且つ構成され得、上記狭く細長い区分を通って物品を通過させまた吸引空気流に対向する方向への動きによって物品を引き抜くようにされ得る。
【００１０】
別の特徴によれば、本発明は、柔軟性のある細長い物品を広げる方法に関するものであり、上記物品は吸引ダクトに少なくとも部分的に挿差され、空気流の発生する上記吸引ダクトに保持され、上記空気流は吸引ダクトの壁に設けた中間吸引開口部を少なくとも部分的に通る吸引によって吸引される。
【００１１】
本発明の有利な実施形態によれば、かかる方法は、
吸引空気流の発生する上記吸引ダクトに上記物品を少なくとも部分的に配置して、上記物品を空気流によって引っ張られないように保持するステップと、
上記中間開口部を開いて外部から吸引ダクトの内部に向かって空気流を発生させ、上記空気流をダクトの内側で自由である物品の一部分に当てさせるステップと、
を含む。
【００１２】
本発明による方法の一実施形態によれば、上記物品は、上記吸引空気流の方向と反対の方向への動きによって吸引ダクトから徐々に引き抜かれる。
【００１３】
上記物品を容易に平らにしまたその効力を高めるために、本発明の方法の改良された実施形態によれば、上記物品は、引き抜き動作及びその縦方向の伸長に対して上記物品を横方向に平らにするために、狭くて細長い断面部分を通って通過するようにされ得る。
【００１４】
本発明は、本発明の限定しない実際の実施形態を示す以下の説明及び添付図面によってより良く理解されるであろう。
【図面の簡単な説明】
【００１５】
【図１】第一の操作ステップにおける本発明による装置の長手方向断面図。
【図２】第二の操作ステップにおける本発明による装置の長手方向断面図。
【図３】第三の操作ステップにおける本発明による装置の長手方向断面図。
【図４】第四の操作ステップにおける本発明による装置の長手方向断面図。
【発明を実施するための形態】
【００１６】
図示された例によれば、参照番号１は、例えば弾性バンドＢとつま先Ｐとを有する靴下を形成する物品Ｍを処理することを目的とする本発明を用いた装置の全体を表している。物品Ｍは、例えば後続の処理工程で縫製されることになる開いた状態のつま先Ｐを備えた半完成品であることができる。
【００１７】
装置１は支持表面３を有し、支持表面３は、図面の平面に直交する方向で移動可能なコンベヤ装置のスラットで形成され得る。支持表面３上にはベルトコンベヤ装置５が配置され、このベルトコンベヤ装置５は、物品Ｍを装置１の一部分を形成する吸引区画（仕切り室）の内部に挿差するため或いはそこから徐々にそれを引き抜くために用いられる。物品の吸引区画への挿差及び引き抜きは、種々の手段例えばグリッパー（把持装置）を使用して行うことができる。吸引区画の反対の端部から物品を挿差して、以下に説明されるように吸引を逆転しそして広がり処理する前に、物品が区画全体を通って通過させ、グリッパー或いはその他のピックアップ部材で物品を収集することも可能である。
【００１８】
図示された例によれば、参照番号７は吸引ダクト全体を表し、吸引ダクトは肘型の構成ですなわち相互にほぼ９０°傾斜した２つの部分７Ａ及び７Ｂを備えている。吸引ダクト７は参照番号９で示された内部区画（仕切り室）を備えている。
【００１９】
ダクト７の第一の端部１１には、以下に示される目的のためにダクト７の断面を狭くする機能をもつ部材１３が組み込まれている。部材１３は、両方向矢印ｆ１５に沿って動くことのできる要素１５を備え、この要素１５は、吸引ダクト内へ挿差されかつ吸引ダクトから引き出されようにされている。要素１５の両方向矢印ｆ１５に沿った動作は、参照番号１７で示されたピストンシリンダーアクチュエータ又は同様な装置によって制御される。
【００２０】
吸引ダクト７の第二の端部１２は、例えばパイプ１９を通って図示されていない吸引源に接続される。
【００２１】
吸引ダクト７の壁には、ダクト７の肘型の或いは湾曲した連結部分７Ａ、７Ｂとその端部１１との間において吸込みポートすなわち開口部が設けられ、この開口部は開閉するアクチュエータを備えた弁２３を使用して交互に閉開することができる。
【００２２】
上述の装置は、図１から図４における動作手順を参照して以下に例示された仕方で作動する。
【００２３】
最初のステップにおいて、要素１５は吸引ダクト７の第一の端部１１で幅広の自由な断面を備えた通路から離れて上部位置に引き上げられている、それで物品Ｍは簡単に吸引ダクト内部に徐々に挿差することができる。矢印Ｆ（図１及び図２）に沿った挿差は、コンベヤ装置のベルト５の動作と吸引パイプ１９を介した吸引（矢印Ａ）動作とを組み合わせて行われる。
【００２４】
吸引ダクト７の端部１１における入口から端部１２に向かって発生される空気流及びコンベヤ装置５の動作により、物品Ｍは緩やかな挿差され得る。
【００２５】
物品Ｍの十分な部分が吸引ダクト７の内部に入り込み、物品Ｍの端部Ｂが開口部２１のレベルに或いはそれを超えると、弁２３は開かれ、吸引パイプ１９を介しての吸引は、装置１に接続された吸引源（示されていない）によって、開口部２１を通って主として引き込まれる空気流Ａ１（図３）を発生させる。
【００２６】
このステップにおいて、物品Ｍは保持され、コンベヤ装置が停止されることによって吸引ダクト７の内部への物品の完全な挿差を阻止している。開口部２１を通って引き込まれる空気の流れは渦流を発生させ、この渦流の内側に、物品Ｍの端部Ｂが位置し、その結果として、物品は活発に振動し且つ広がる作用を受けて縦及び横方向に広がり、あらゆる皺、螺旋形の捻れ、折り目などが取り除かれる。
【００２７】
次いで、有利には、外部と連通状態にある開口部２１を通って引き込まれる空気によるパイプ１９を介した吸引が依然として継続され、コンベヤ装置のベルト５はその動作を反転し、一方、要素１５は、吸引ダクト７の最小断面の位置に下げられ、図３及び図４における位置となる。コンベヤ装置５の反転により、物品Ｍは吸引ダクトの内部から外部に向かって徐々に引き出され、要素１５の下を通過し、そして吸引ダクト７の内部断面を縮小させた要素１５によって、そこを物品が通過することによって、横方向に平らにされて、支持表面３上に十分に位置決めされる。
【００２８】
要素１５によって通路の断面を狭くすることと、パイプ１９を介した吸引に起因する開口部２１を通る外部環境から引き込まれた渦流と、結果として生ずる物品Ｍの振動との組み合わせにより、物品は縦方向及び横方向に広がることになる。
【００２９】
添付図面は、本発明の具体的な実施形態によって提供された例を示しているが、しかし本発明が基づく概念の範囲から逸脱することなく形状及び構成において変更可能であることが理解される。添付の特許請求の範囲における参照番号は、単に、説明及び添付図面を踏まえてそれらを読むことを容易にするために設けられているものであって、決して特許請求の範囲の保護の範囲を限定するものではない。
【図１】
2009538997.tif 000003
【図２】
2009538997.tif 000004
【図３】
2009538997.tif 000005
【図４】
2009538997.tif 000006
【国際調査報告】
2009538997.tif 000007
2009538997.tif 000008